(57)【要約】【課題】特別な操作をすることなくスイッチの誤操作や制御対象の誤動作を抑制できるスイッチ装置を提供する。【解決手段】スイッチ装置は、車両に搭載されたスイッチ５〜８と、このスイッチからの入力信号ＳＷ１〜ＳＷ４を処理して当該スイッチに対応する制御対象１〜４に制御信号ＡＳ１〜ＡＳ４を出力する制御装置１０とを備える。制御装置は、スイッチの操作と制御信号の出力との間に時間差を生成し、スイッチの状態が遷移し、この遷移から所定時間経過後に制御対象に対する制御を、制御停止中の場合制御を開始し、制御中の場合制御を停止する、ことを特徴とする。スイッチが操作されたことを判断する際に、制御を開始または停止するまでに待ち時間を生成することで、スイッチ入力自体は保持時間なく判断し、制御対象の制御への反映を遅らせることで、正規のスイッチ操作に対する入力に対しては即時反応しつつ、誤操作による作動を抑制する。【選択図】図１
2019123400.tif 000002
【特許請求の範囲】
【請求項１】
車両に搭載されたスイッチと、このスイッチからの入力信号を処理して当該スイッチに対応する制御対象に制御信号を出力する制御装置とを備え、
前記制御装置は、前記スイッチの操作と前記制御信号の出力との間に時間差を生成し、前記スイッチの状態が遷移し、この遷移から所定時間経過後に前記制御対象に対する制御を開始させる、もしくは制御中は制御を停止させる、ことを特徴とするスイッチ装置。
【請求項２】
前記時間差の期間に再度スイッチ操作があった場合は、前記制御対象の制御を開始させない、もしくは制御中は制御を停止させない、ことを特徴とする請求項１に記載のスイッチ装置。
【請求項３】
前記スイッチはモーメンタリタイプであり、前記スイッチの操作状態の持続時間に応じて異常判定し、異常と判定した前記スイッチに対応する前記制御対象を所定の状態に設定する、ことを特徴とする請求項１又は２に記載のスイッチ装置。
【請求項４】
前記スイッチの操作状態、及び前記スイッチに対応する前記制御対象の状態の少なくともいずれか一方を表示する表示装置を備える、ことを特徴とする請求項１乃至３いずれか１項に記載のスイッチ装置。
【発明の詳細な説明】
【技術分野】
【０００１】
本発明は、車両に搭載されたスイッチに対応する制御対象に制御信号を出力して制御するスイッチ装置に関する。
【背景技術】
【０００２】
一般に、車両に搭載されたスイッチが押されると、直ぐにスイッチオン要求ありと判断され、このスイッチに対応する制御対象の機器や装置に制御信号が出力されて作動される。しかし、スイッチが誤操作された時にもスイッチオン要求ありと判断され、制御信号を受けた機器や装置が誤作動することがある。
【０００３】
このような誤操作に対処するために、例えば特許文献１では、スイッチが押されてから遅延時間経過後に確認信号を出力し、この信号を確認してから限定時間以内にスイッチが押されなくなった場合に、スイッチオン要求ありと判断している。遅延時間経過前にスイッチが押されなくなった場合は、誤操作と判断して動作させない。一方、限定時間経過後もスイッチが押し続けられる場合には、警告音を出力し、誤操作と判断するようになっている。
【先行技術文献】
【特許文献】
【０００４】
【特許文献１】特許第２７７４２９２号公報
【発明の概要】
【発明が解決しようとする課題】
【０００５】
しかしながら、特許文献１の技術は、医療機器での使用を想定しており、揺れ動く狭い車内で様々な操作者が扱う車両用には必ずしも適した仕様とは言えない。特に、所定時間内でスイッチをオンからオフにするという制約があるため、自動車用としては使い勝手が悪い。また、限定時間経過しないと確認音が出力されないため、確認音に気付いてスイッチから手を離した場合でも誤操作とは認識されず、スイッチオン要求ありと判断される。
【０００６】
本発明は上記のような事情に鑑みてなされたもので、その目的とするところは、特別な操作をすることなくスイッチの誤操作や制御対象の誤動作を抑制できるスイッチ装置を提供することにある。
【課題を解決するための手段】
【０００７】
本発明の一態様に係るスイッチ装置は、車両に搭載されたスイッチと、このスイッチからの入力信号を処理して当該スイッチに対応する制御対象に制御信号を出力する制御装置とを備え、前記制御装置は、前記スイッチの操作と前記制御信号の出力との間に時間差を生成し、前記スイッチの状態がオンからオフに遷移してから所定時間経過後に前記制御対象に対する制御を開始させる、もしくは制御中は制御を停止させる、ことを特徴とする。
【発明の効果】
【０００８】
本発明では、スイッチが操作されたことを判断する際に、制御対象の作動を開始させるまでに待ち時間を生成する。そして、スイッチ入力自体は保持時間なく判断し、制御対象の作動への反映を遅らせることで、正規の入力に対しては即時反応しつつ、誤操作による作動を抑制する。これによって、特別な操作をすることなくスイッチの誤操作や制御対象の誤動作を抑制できる。
【図面の簡単な説明】
【０００９】
【図１】本発明の実施形態に係るスイッチ装置の概略構成を示すブロック図である。
【図２】図１に示したスイッチ装置の動作を示すフローチャートである。
【図３】本発明におけるスイッチオン要求時の各信号のタイミングチャートである。
【図４】本発明におけるスイッチ誤操作時の各信号のタイミングチャートである。
【図５】従来のスイッチオン要求時の各信号のタイミングチャートである。
【図６】スイッチの誤操作時における従来と本発明の判定を対比して示すタイミングチャートである（制御停止中のスイッチ操作）。
【図７】スイッチの誤操作時における従来と本発明の別の判定を対比して示すタイミングチャートである（制御動作中のスイッチ操作）。
【図８】スイッチのオン固着時における従来と本発明の判定を対比して示すタイミングチャートである（制御停止中のスイッチ操作）。
【図９】スイッチのオン固着時における従来と本発明の別の判定を対比して示すタイミングチャートである（制御動作中のスイッチ操作）。
【発明を実施するための形態】
【００１０】
以下、本発明の実施形態について図面を参照して説明する。
図１は、本発明の実施形態に係るスイッチ装置の概略構成を示している。ここでは、制御対象が自動車のデフロック１、横滑り防止装置（ＶＤＣ：Vehicle Dynamics Control、あるいはＥＳＣ：Electronic Stability Control）２、接近通報装置３及びトランスミッション４の場合を例に取っている。
【００１１】
このスイッチ装置は、デフロック１、横滑り防止装置２、接近通報装置３及びトランスミッション４にそれぞれ対応するデフロック作動スイッチ５、ＶＤＣ（ＥＳＣ）オフスイッチ６、車両接近通報キャンセルスイッチ７及びトランスミッション４のモード切替スイッチ８（例えばＥＣＯモードスイッチ、スポーツモードスイッチ、オーバードライブスイッチ、オーバードライブキャンセルスイッチ）と、各スイッチ５〜８からの入力信号ＳＷ１〜ＳＷ４を処理して、対応する制御対象にそれぞれ制御信号（作動要求信号または作動停止信号）ＡＳ１〜ＡＳ４を出力する制御装置１０とを備えている。
【００１２】
各スイッチ５〜８はダッシュボードやコンソールに設けられ、押されている間だけオンとなり、押されなくなった時点でオフとなるモーメンタリスイッチである。本例のスイッチ５〜８は、制御対象が停止している制御状態から、スイッチが押されてスイッチオン要求あり（スイッチ操作あり）と判断されると制御対象を動作状態に切り替えるものと、制御対象が動作している制御状態から、スイッチが押されてスイッチオン要求ありと判断されると制御対象を動作停止状態に切り替えるものがある。
【００１３】
デフロック作動スイッチ５、及びトランスミッション４のモード切替スイッチ８のうち、例えばＥＣＯモードスイッチ、スポーツモードスイッチは、スイッチが押されてスイッチオン要求ありと判断されると、動作停止している制御状態から動作状態に切り替えるスイッチである。ＶＤＣ（ＥＳＣ）オフスイッチ６、車両接近通報キャンセルスイッチ７及びトランスミッション４のモード切替スイッチ８のうち、例えばオーバードライブキャンセルスイッチは、スイッチが押されてスイッチオン要求ありと判断されると、制御対象が動作している（または動作可能な）制御状態から動作停止（または禁止）状態に切り替えるスイッチである。
【００１４】
矢印Ｐ１で示すようにデフロック作動スイッチ５がオン操作されると、制御装置１０から制御信号（作動要求信号）ＡＳ１が出力され、デフロック１によりデファレンシャルギアが一時的にロック（ロック中の場合はアンロック）される。矢印Ｐ２で示すようにＶＤＣ（ＥＳＣ）オフスイッチ６がオン操作されると、制御装置１０から制御信号（作動停止信号）ＡＳ２が出力され、横滑り防止装置２がオフ状態となる。矢印Ｐ３で示すように車両接近通報キャンセルスイッチ７がオン操作されると、制御装置１０から制御信号（作動停止信号）ＡＳ３が出力され、接近通報装置３による車両接近通報がキャンセルされる。更に、矢印Ｐ４で示すようにモード切替スイッチ８がオン操作されると、制御装置１０から制御信号（作動要求信号または作動停止信号）ＡＳ４が出力され、トランスミッション４がＥＣＯモード、スポーツモードに切り替え、またはトランスミッション４がオーバードライブキャンセルモードに切り替えられる。
【００１５】
制御装置１０は、各スイッチ５〜８の操作により入力される入力信号ＳＷ１〜ＳＷ４と、制御信号ＡＳ１〜ＡＳ４との間に時間差を生成し、スイッチ５〜８の状態がオンからオフに遷移し、この遷移から所定時間経過後に制御対象であるデフロック１、横滑り防止装置２、接近通報装置３及びトランスミッション４を各スイッチ５〜８の機能に応じた作動、作動停止及び切り替えを開始させる。そして、上記時間差の期間に再度スイッチ操作があった場合は、誤操作と判定して制御対象の作動、作動停止及び切り替え等は行わない（現状を保持）。また、各スイッチ５〜８の操作状態の持続時間に応じて異常判定し、異常と判定したスイッチに対応する制御対象を、車両の状態（走行中か停止状態か等）に基づき所定の状態に設定する。
【００１６】
また、スイッチ装置は、各スイッチ５〜８の操作確認、並びにこれらスイッチ５〜８に対応する制御対象であるデフロック１、横滑り防止装置２、接近通報装置３及びトランスミッション４の作動状態を表示する表示装置１１と、スイッチ５〜８や制御対象の異常状態を報知する警告装置１２とを備えている。本例では、表示装置１１として操作確認あるいは作動状態を表示する表示灯及びブザーが設けられ、警告装置１２として異常状態を報知するための警告灯が設けられている。
【００１７】
そして、制御装置１０から出力される確認信号ＢＳ１により、各スイッチ５〜８の操作状態あるいは制御対象の作動状態が表示装置１１の表示灯を点灯（あるいは消灯）させることで操作者に報知する。また、必要に応じてブザーの鳴動を利用して操作者に報知する。そして、スイッチ５〜８の固着等の異常状態を検知した場合には、制御装置１０から出力される警告信号ＢＳ２により、警告装置１２の警告灯を点灯（あるいは点滅）させて操作者に警告するようになっている。
なお、表示装置は、スイッチ５〜８の操作状態と、これらスイッチ５〜８に対応する制御対象の作動状態の両方を表示してもよい。また、表示灯とブザーを併用して光と音で報知しても良い。もちろん、液晶等によりグラフィック表示することもできる。
【００１８】
図２は、図１に示したスイッチ装置の動作を示すフローチャートである。ここでは、デフロック１の作動を制御する場合を例に取るが、横滑り防止装置２、接近通報装置３及びトランスミッション４も同様である。
＜デフロック作動スイッチ５のオンからスイッチ入力の受付までの一連の処理＞
操作者によってデフロック作動スイッチ５のオン操作が行われると、まず、スイッチ５から入力信号ＳＷ１が制御装置１０に入力され、この制御装置１０でスイッチ５のオン操作が行われたか否か判定される（ステップＳ１）。スイッチ５のオン操作が行われたことが確認されると、制御装置１０からスイッチ操作の確認信号ＢＳ１が出力される（ステップＳ２）。これによって、表示灯の点灯やブザーの鳴動により、デフロック１の作動要求があったことが表示される。
【００１９】
続く、ステップＳ３では、制御装置１０でスイッチ５がオフしたか否か判定され、オフしたことが確認されると、制御装置１０でスイッチオフ後の経過時間が計測される（ステップＳ４）。ステップＳ５では、スイッチオフ後所定時間ｔ１が経過したか否か判定され、所定時間ｔ１が経過した場合、スイッチオン要求ありと判断し、制御信号（作動要求信号）ＡＳ１を出力してデフロック１を作動させる（ステップＳ６）。その後、確認信号ＢＳ１の出力を停止し、警告信号が出力されている場合には警告信号の出力を停止して終了する（ステップＳ７）。
【００２０】
ステップＳ５で、所定時間ｔ１が経過していないと判定された場合には、ステップＳ８に進み、スイッチ５がオフしていると判定された場合には、ステップＳ４に進み、制御装置１０によるスイッチオフ後の経過時間の計測を続行する。
【００２１】
＜スイッチの誤操作時に、誤動作することなく誤操作を取り消す処理＞
誤ってスイッチ５に触れるなどした後、確認信号ＢＳ１の出力による表示灯の点灯やブザーの鳴動に気付いてスイッチ５をオフした場合には、ステップＳ３からステップＳ４に進む（スイッチオフ後の処理）。所定時間ｔ１の経過前に再度スイッチ５をオンすると、ステップＳ８でスイッチオンが確認され、ステップＳ７で操作の確認信号ＢＳ１の出力が停止される。この処理工程では、スイッチオン要求ありと判断する処理はないため、誤操作による誤作動を防止できる。
【００２２】
＜スイッチ故障時、不要な警告を停止しスイッチ入力を取り消す処理＞
ステップＳ３でスイッチオンが継続していることが確認されたら、ステップＳ９に進み、スイッチオン後所定時間ｔ２が経過した場合、ステップＳ１０で確認信号ＢＳ１を停止し、代わりに警告信号ＢＳ２を警告装置１２に出力して警告灯を点灯あるいは点滅させることにより、操作者に誤操作をより気付きやすくする。更に、スイッチオン後所定時間ｔ３が経過した場合は、ステップＳ１１からステップＳ１２に進み、誤操作またはスイッチ故障と判断してスイッチオン要求をクリアすると共に、警告信号を停止して故障フラグをセットする（ステップＳ１３）。この場合も、スイッチオン要求ありと判断する処理はないため、故障による誤作動を防止できる。
ここで、所定時間ｔ１，ｔ２，ｔ３は、「ｔ１＜ｔ２＜ｔ３」の関係にある。
【００２３】
＜スイッチの誤操作時、誤動作することなく誤操作を取り消す処理＞
ステップＳ１０の警告信号ＢＳ２の出力による警告灯の点灯あるいは点滅で誤操作に気付いて、所定時間ｔ３経過前にスイッチ５をオフした場合には、ステップＳ１１からステップＳ１４、ステップＳ１５（スイッチオフ後の処理）へと進む。ステップＳ１５のスイッチオフ後の処理は、破線ＢＬで囲んだステップＳ４からステップＳ８と同じ処理である。すなわち、所定時間ｔ１の経過前に再度スイッチ５をオンすると、ステップＳ８からステップＳ７に進みスイッチ操作の警告信号ＢＳ２が停止する。この場合も、スイッチオン要求ありと判断する処理はないため、誤操作による誤作動を防止できる。
【００２４】
図３は、本発明におけるスイッチオン要求時の各信号のタイミングチャートである。ここでも、デフロック１の作動を制御する場合を例に取るが、横滑り防止装置２、接近通報装置３及びトランスミッション４も同様である。
スイッチ５からの入力信号ＳＷ１が、時刻Ｔ０のタイミングで“Ｈ”レベル（スイッチオン）となり、時刻Ｔ１のタイミングで“Ｌ”レベル（スイッチオフ）となると、デフロック１の制御信号（作動要求信号）ＡＳ１は、時刻Ｔ１から所定時間ｔ１経過後の時刻Ｔ２に“Ｈ”レベルとなり、デフロック１が作動する。一方、確認信号ＢＳ１は、時刻Ｔ０のタイミングで“Ｈ”レベルとなり、時刻Ｔ２のタイミングで“Ｌ”レベルとなる。よって、表示灯とブザーは、時刻Ｔ０からＴ２までの期間に点灯及び鳴動する。
このように、スイッチオン要求時は、スイッチオン後にスイッチ５から手を離した後、所定時間ｔ１が経過したらスイッチオン要求ありと判断されるため、スイッチ操作の時間的制約等特別な操作は不要であり使い勝手がよい。
【００２５】
図４は、本発明におけるスイッチ誤操作時の各信号のタイミングチャートである。誤操作によって、スイッチ５からの入力信号ＳＷ１が時刻Ｔ０のタイミングで“Ｈ”レベル（スイッチオン）となり、時刻Ｔ１のタイミングで“Ｌ”レベル（スイッチオフ）となったと仮定する。この場合、確認信号ＢＳ１によって表示灯が点灯し、ブザーが鳴動することによって、操作者が誤操作に気づいたときには、スイッチ５をオフしてから所定時間ｔ１内、例えば時刻Ｔ１，Ｔ２間にキャンセルのためにスイッチ５の再操作を行えば良い。ここでは、時刻Ｔ１−１にスイッチ５をオンし、時刻Ｔ１−２にスイッチ５をオフしている。制御装置１０は、所定時間ｔ１内にスイッチ５が再操作（オン／オフ）された場合には、制御信号（作動要求信号）ＡＳ１を出力しない。確認信号ＢＳ１は、時刻Ｔ０から時刻Ｔ１−２の期間“Ｈ”レベルとなり、この期間に表示灯が点灯し、ブザーが鳴動する。
【００２６】
このように、気付かない内にスイッチ５に触れたとしても、確認信号ＢＳ１による表示灯の点灯やブザーの鳴動で誤操作に気付くことができ、その時点で再度スイッチ操作することで、誤動作（スイッチオン要求ありと判断）することなく誤操作を取り消すことができる。
なお、キャンセル操作が遅れて所定時間ｔ１の経過後となった場合には、制御装置１０により、一旦スイッチオン要求ありと判断された後、スイッチオン要求がキャンセルされることになる。
【００２７】
また、図４に破線で示すように、確認信号ＢＳ１をスイッチ入力から少し遅らせて出力させる、換言すれば、確認信号ＢＳ１が“Ｈ”レベルとなるタイミングを時刻Ｔ０’まで遅らせても良い。意図したスイッチ操作の場合（スイッチオン要求時）、スイッチ操作を気付かせる表示は不要なためである。
この場合も、スイッチが押されていることに気付かず長押しした際は、確認信号ＢＳ１が出力されて表示灯が点灯し、ブザーが鳴動するので誤操作に気付くことができる。
【００２８】
図５は、従来（特許文献１）のスイッチオン要求時の各信号のタイミングチャートを比較例として示している。従来は、スイッチ入力が時刻Ｔ１０のタイミングで“Ｈ”レベル（スイッチオン）となり、所定時間ｔ１０経過後の時刻Ｔ１１のタイミングで確認信号が出力される。この確認信号が“Ｈ”レベルとなってから、所定時間ｔ１１が経過する時刻Ｔ１３の前にスイッチをオフ（“Ｌ”レベル）とすると、スイッチオン要求が出力される（時刻Ｔ１２）。
すなわち、従来は、スイッチをオフするタイミングを所定時間ｔ１１内に行う必要があった。また、確認信号が出力されるのは、時刻Ｔ１１のタイミングからであり、本発明に比して誤操作に気付くタイミングが遅れる。しかも、確認信号により誤操作に気付いてスイッチをオフしても、通常操作同様にオンしてしまうため誤作動してしまう。
【００２９】
上述したように、本発明のスイッチ装置は、下記（１）〜（４）に示すような動作を行う。
（１）スイッチ信号（スイッチからの入力信号）が入力されると確認信号を出力し、スイッチ信号の入力がなくなってから所定時間ｔ１経過後に、スイッチオン要求ありと判断し、確認信号を停止する。
（２）所定時間ｔ１が経過する前に再度スイッチ信号が入力された場合、前回のスイッチ信号の入力は誤操作と判断する。
（３）確認信号の出力は、スイッチ入力と同時または少し遅れてから出力してもよい。
（４）スイッチ信号の入力が所定時間ｔ２以上継続した場合、警告信号を出力し、それでもスイッチ信号の入力が所定時間ｔ３（＞ｔ２）以上継続した場合、誤操作またはスイッチ故障と判断し、警告信号を停止すると共にスイッチオン要求なしと判断する。
【００３０】
これによって、通常のスイッチ同様、時間（所定時間内でスイッチをオンからオフにする）を意識した操作をすることなくスイッチオン要求ありと判断される。スイッチが誤って操作された場合には、所定時間ｔ１以内にキャンセルのため再度スイッチ操作を行うと、スイッチオン要求ありと判断されることはなく、誤動作せずに誤操作の取り消しができる。また、スイッチの長押しやオン固着等で長時間オンしている場合、改めてスイッチ操作することなく警告信号の出力を停止でき、スイッチオン要求なしと判断される。
【００３１】
従って、上記のような構成のスイッチ装置によれば、スイッチが押されている間だけオンとなり、押されなくなった時点でオフとなるモーメンタリスイッチにおいて、特別な操作をすることなくスイッチオン要求の有無を判定し、誤動作を防止できる。しかも、スイッチの固着等の診断を行い、オン固着による誤動作や不要な警告等を抑制できる。
【００３２】
図６及び図７はそれぞれ、スイッチの誤操作時における従来と本発明の判定を対比して示すタイミングチャートである。図６に示すように、従来は制御信号が時刻Ｔ１ａ，Ｔ１ｂの期間に“Ｈ”レベルとなることで、無駄な電力消費が発生したり、運転者の意図と異なる挙動となる可能性があった。また、図７に示すように、制御信号が時刻Ｔ１ａ，Ｔ１ｂの期間に“Ｌ”レベルとなることで、運転者の意図と異なる挙動となる可能性があった。
これに対し、本発明では、図６及び図７に示すように、スイッチの誤操作に気付いて所定時間ｔ１内に再操作すれば、スイッチ入力をキャンセルでき、スイッチ判定の結果である制御信号（作動要求信号または作動停止信号）は変化しない。従って、従来に比べて無駄な電力消費を抑制したり、動作の安定化が図れる。
【００３３】
図８及び図９はそれぞれ、スイッチのオン固着時における従来と本発明の判定を対比して示すタイミングチャートである。図８に示すように、従来はスイッチがオン固着している場合には、制御信号が時刻Ｔ１ａ，Ｔ１ｂの期間に“Ｈ”レベルとなることで、無駄な電力消費が発生したり、運転者の意図と異なる挙動となったりする可能性があった。また、図９に示すように、制御信号が時刻Ｔ１ａ以降は“Ｌ”レベルとなることで、制御が停止して走行性能が低下する可能性があった。
これに対し、本発明では、図８及び図９に示すように、スイッチがオン固着している場合には、スイッチ判定の結果である制御信号（作動要求信号または作動停止信号）は変化せず、制御対象はオン／オフしない。そして、故障と判定した時刻Ｔ２の時点で故障フラグを立てることで故障状態を記録する。従って、従来に比べて無駄な電力消費を抑制したり動作の安定化を図れ、走行性能の低下を抑制できる。
また、スイッチのオン固着等で故障と判定された場合、スイッチオン要求なしと判断するため、制御信号で制御対象の作動停止が指示されている場合に作動することはなく、反対に制御信号で作動が指示されている場合には作動状態を継続することが可能である。
なお、制御信号は、制御対象に応じて、故障検出後の時刻Ｔ１ｂ以降には“Ｌ”レベルとしても良い。
【００３４】
［デフロックに適用した場合の効果］
従来は、スイッチの誤操作時やオン固着時に、制御信号が一旦オン（またはオフ）するためデフロックが作動する（デフロック作動中の場合は停止する）。
これに対し、本発明では、所定時間内にキャンセル操作をすれば、制御信号（作動要求信号）ＡＳ１が出力されることはなく、デフロック１も作動（あるいは停止）しない。すなわち、所定時間内に再度スイッチ操作することで、制御信号を出力することなくキャンセル操作が完了する。また、スイッチ５のオン固着時は、改めてスイッチ操作をすることなく、制御信号のオフ（またはオン）の状態を保持できる。
【００３５】
従って、デフロック１が作動した場合、数アンペア以上の電流消費となるため、無駄な電力消費を抑制することが可能となる。また、予期しないデフロック１の作動（または停止）により、車両が運転者の意図と異なる挙動になるのを防止できる。更に、スイッチ５のオン固着時は、ＥＣＵ再起動（ＩＧＮのオフ／オン）の度にデフロック１の作動と停止が繰り返され、無駄な電力消費が発生するのを低減できる。更にまた、スイッチ５のオン固着時は、デフロック１の作動状態を継続するため、雪道等の走行時にデフロック１が解除されることがない。このように、スイッチの故障のみでシステム自体に異常がない場合、故障と判定してもデフロックの作動は継続（制御信号の出力を継続）することで、現在の走行性能を維持することが可能である。
【００３６】
［横滑り防止装置に適用した場合の効果］
従来は、誤操作等でスイッチが一旦オンしＶＤＣ（ＥＳＣ）作動が停止する。
これに対し、本発明では、所定時間内にキャンセル操作をすれば、制御信号（作動停止信号）ＡＳ２が出力されることはなく、ＶＤＣ（ＥＳＣ）も停止しない。
【００３７】
従って、予期せずＶＤＣ（ＥＳＣ）が作動停止した場合には、車両が運転者の意図と異なる挙動になるため、その防止策として有効である。
ＶＤＣオフスイッチでは、ＶＤＣオフの状態よりＶＤＣオンの状態の方が安全なため、故障と判定した場合、制御信号の出力を停止してもよい（ＶＤＣオフスイッチがオフなのでＶＤＣオン）。
【００３８】
［接近通報装置に適用した場合の効果］
従来は、誤操作等で制御信号が一旦オンし、車両接近通報音が停止する。
これに対し、本発明では、所定時間内にキャンセル操作をすれば、制御信号がオンすることはなく、車両接近通報音も停止しない。
従って、車両接近通報音が停止した場合、歩行者が車両の接近に気付かず接触する可能性等があるので、その防止策として有効である。
【００３９】
［トランスミッションに適用した場合の効果］
従来は、誤操作等で制御信号が一旦オン（またはオフ）し、各モードに移行（各モードから逸脱）する。
これに対し、本発明では、所定時間内にキャンセル操作をすれば、制御信号がオン（またはオフ）することはなく、各モードへの移行（各モードから逸脱）はしない。
従って、各モードへの移行（各モードから逸脱）はしないため、ＥＣＯモードがキャンセルされたり、スポーツモードに入ったりすることはなく、燃費の悪化（エンジン回転数の上昇や空調の効きの強さ等）を防止できる。
【００４０】
上述したように、本発明によれば、特別な操作をすることなくスイッチの誤操作や制御対象の誤動作を抑制できるとともに、スイッチの固着による制御対象の誤動作や不要な警告を抑制できるスイッチ装置を提供できる。
【００４１】
以上実施形態を用いて本発明の説明を行ったが、本発明は上述した実施形態に限定されるものではなく、実施段階ではその要旨を逸脱しない範囲で種々に変形することが可能である。例えば、制御対象が自動車のデフロック１、横滑り防止装置２、接近通報装置３及びトランスミッション４の場合を例に取って説明したが、誤操作により無駄な電力消費や周囲及び乗員に危険が及びかねない他の装置や機器に適用可能である。
【００４２】
また、１つの制御装置１０が複数のスイッチ５〜８からの入力信号ＳＷ１〜ＳＷ４を処理して、対応する制御対象にそれぞれ制御信号（作動要求信号または作動停止信号）ＡＳ１〜ＡＳ４を出力する場合を例に取って説明したが、複数のスイッチにそれぞれ対応する制御装置が設けられ、制御装置毎に制御対象を制御する構成でも良いのは勿論である。
【符号の説明】
【００４３】
１…デフロック、２…横滑り防止装置、３…接近通報装置、４…トランスミッション、５…デフロック作動スイッチ、６…ＶＤＣ（ＥＳＣ）オフスイッチ、７…車両接近通報キャンセルスイッチ、８…モード切替スイッチ、１０…制御装置、１１…表示装置、１２…警告装置、ＳＷ１〜ＳＷ４…入力信号、ＢＳ１…確認信号、ＢＳ２…警告信号、ＡＳ１〜ＡＳ４…制御信号（作動要求信号または作動停止信号）
【図１】
2019123400.tif 000003
【図２】
2019123400.tif 000004
【図３】
2019123400.tif 000005
【図４】
2019123400.tif 000006
【図５】
2019123400.tif 000007
【図６】
2019123400.tif 000008
【図７】
2019123400.tif 000009
【図８】
2019123400.tif 000010
【図９】
2019123400.tif 000011